(57)【要約】      （修正有）【課題】装飾板を着脱自在に装着し、湿気や埃の進入、埃の堆積を抑制し、装飾板と被収納物品を互いに保護する箪笥を提供する。【解決手段】表面から裏面まで貫通する開口部３を有する前板５と、前板５の裏面から開口部３に挿入されて、前板５に装着される装飾板４と、装飾板４を前板５に係止する留め具を備える。前板５の裏面側に配設されて、開口部３と留め具を覆う隠し板１４を備える。【選択図】図２
0003164157.tif 000002
【実用新案登録請求の範囲】
【請求項１】
表面から裏面まで貫通する開口部と、
前記裏面から挿入されて、前記開口部に着脱自在に装着される装飾板と、
を備える前板において、
前記前板の裏面に密着して、少なくとも前記開口部の全面を覆う隠し板を備える
ことを特徴とする前板。
【請求項２】
請求項１に記載の前板を備える箪笥。
【請求項３】
前記前板は抽斗に取り付けられて、前記隠し板は、前記抽斗の内法の全幅及び全高を覆う
ことを特徴とする請求項２に記載の箪笥。
【請求項４】
前記隠し板は前記抽斗の端板に取り付けられた係止片で係止されるとともに、前記前板の裏面に平行に摺動して前記前板に対して着脱されるように取り付けられている
ことを特徴とする請求項３に記載の箪笥。
【考案の詳細な説明】
【技術分野】
【０００１】
本考案は、箪笥の前板及び該前板を備える箪笥に関する。
【背景技術】
【０００２】
箪笥の前板とは、箪笥の正面に配置される部材、例えば、抽斗の正面部材、開戸の扉、引違戸の扉を言う。また、本明細書において、箪笥とは、広く収納家具一般を指し、ロッカー、キャビネット、チェストと呼ばれるものを含み、和風、洋風の別、形式、用途の別を問わない。また、本明細書における箪笥は、室内に据え置きするものには限定されない。建物の造作と一体化された、いわゆるビルドインタイプの収納家具も本明細書における箪笥に含まれる。
【０００３】
さて、前板に額縁状の構造を備えて、写真等を装着できるように構成した箪笥が知られている、例えば、特許文献１には、前板の全部または一部を額縁として、該額縁に装飾シートを着脱自在に係止するように構成した収納家具が開示されている。前記額縁は、前板の中央に開けた透窓に、透明板と押え板を嵌め込んで構成され、前記透窓の周縁には回動型押さえ爪があって前記押え板を係止している。また装飾シートは前記透明板と前記押え板の間に挟持される。また、特許文献１には、装飾シートの具体例として、装飾用の板、ボード、紙、布に画かれた絵画、写真、刺繍製品などが例示されている。
【０００４】
また、特許文献２には、抽斗等の前板の一部を切り抜いて開口部を形成し、該開口部に装飾板を嵌めこむことが開示されている。また、装飾シートの具体例として、プラスチック製の鏡や、写真や絵等のシートを透明のプラスチック板と適宜の板で挟持したものを挙げている。
【先行技術文献】
【特許文献】
【０００５】
【特許文献１】特開２００２−２８２０７３号公報
【特許文献２】登録実用新案第３０９２１８４号公報
【考案の概要】
【考案が解決しようとする課題】
【０００６】
特許文献１等に開示された箪笥は、装飾板等を着脱自在に装着できるように構成されているので、使用者が自分の好みの装飾板等を装着して、箪笥を装飾することができる。
【０００７】
しかしながら、これらの箪笥は、開口が前板を貫通しているので、抽斗等の内部に埃や湿気が進入しやすいと言う問題があった。
【０００８】
また、開口部が抽斗等の内側に露出しているので、抽斗等の内側の開口部の縁等に埃等が溜りやすいと言う問題があった。
【０００９】
また、抽斗等に収納した物品が、装飾板等の裏側に当たって、装飾板等が変形、破損する恐れもあった。
【００１０】
また、特許文献１に開示された箪笥に、例えば衣類等を収納すると、衣類等が回動型押さえ爪に引っかかって、衣類等を破損する恐れもあった。
【００１１】
また、開口部や回動型押さえ爪等が抽斗等の内側に露出していると、抽斗等を開けた時の見た目が悪いという問題もあった。
【００１２】
本考案は、このような事情に鑑みてなされたものであり、箪笥の前板において、装飾板を着脱自在に装着する開口部を備える前板であって、湿気や埃の進入が抑制されるとともに、裏面に埃等が溜まりにくく、しかも装飾板と被収納物品が互いに保護される前板を提供することを目的とする。また、このような前板を備えた箪笥を提供することを目的とする。
【課題を解決するための手段】
【００１３】
上記課題を解決するため、本考案の前板は、表面から裏面まで貫通する開口部と、前記裏面から挿入されて、前記開口部に着脱自在に装着される装飾板と、を備える前板において、前記前板の裏面に密着して、少なくとも前記開口部の全面を覆う隠し板を備えることを特徴とする。
【００１４】
また、本考案の箪笥は前記前板を備えることを特徴とし、前記前板は抽斗に取り付けられて、前記隠し板は、前記抽斗の内法の全幅及び全高を覆うものであってもよい。また、前記隠し板は前記抽斗の端板に取り付けられた係止片で係止されるとともに、前記前板の裏面に平行に摺動して前記前板に対して着脱されるように取り付けられても良い。
【考案の効果】
【００１５】
本考案によれば、前板に少なくとも開口部の全面を覆う隠し板を備えるので、開口部を経由する湿気や埃の進入が抑制される。また、開口部の縁が前板の裏面に露出しないので、開口部の縁に埃等が溜まらない。また、装飾板と抽斗等の被収納物品の間に隠し板があって両者を隔離するので、装飾板と被収納物品が互いに接触する事がない。そのため両者が傷つくことがない。また、抽斗等を開けたときに、開口部の裏側等が見えないので、見た目が良くなる。
【図面の簡単な説明】
【００１６】
【図１】本考案の実施形態を示す箪笥の外形図であり、（ａ）は全体斜視図、（ｂ）は抽斗の斜視図である。
【図２】抽斗の詳細な構成を示す図であり、（ａ）は正面図、（ｂ）は水平断面図、（ｃ）は垂直断面図である。
【考案を実施するための形態】
【００１７】
以下、本考案を実施するための最良の形態を、図面を参照しながら説明する。
【００１８】
図１（ａ）に示した箪笥１は、いわゆる整理箪笥であり、本考案の実施形態の一例を示すものである。箪笥１には、４個の抽斗２が上下に配置されていて、抽斗２のそれぞれには、開口部３が設けられて、開口部３の内側には装飾板４が装着されている。
【００１９】
ここで、以後の説明の便宜のために、図１（ｂ）を参照して、抽斗２の各部の名称を説明する。抽斗２の正面、つまり抽斗２を箪笥１に取り付けた時に、外部から見える部分を前板５と呼ぶ。また、前板５の裏面に接合されて、抽斗２の側面を形成する部材を端板（つまいた）６と呼ぶ。そして、端板６に接合されて前板５に対向配置される部材、つまり、抽斗２の最奥面を形成する部材を先板７と呼ぶ。また、前板５、端板６及び先板７に接合されて、抽斗２の底面を形成する部材を底板８と呼ぶ。
【００２０】
さて次に、図２を参照して、抽斗２の詳細な構成、特に開口部３回りの構成を説明する。なお、図２（ａ）は正面図であり、図２（ｂ）は抽斗２を図２（ａ）のＡＡ’線で切断した水平断面図であり、図２（ｃ）は同じくＢＢ’線で切断した垂直断面図である。
【００２１】
図２（ｂ）及び図２（ｃ）から明らかなように、開口部３は、前板５の表面（外面：外部環境に露出する面）から裏面（内面：抽斗２の内部と接する面）まで貫通している。
【００２２】
装飾板４は、前板５の裏面（抽斗２の内側）から開口部３に挿入されて、回動型押さえ爪９で開口部３の内部に保持される。また、装飾板４を前板から着脱する時は、回動型押さえ爪９をピン１３回りに回転させて、保持状態を解除する。
【００２３】
なお、装飾板４は、装飾シート１０を透明なガラス板１１と押え板１２で挟んで構成される。装飾シート１０は、例えば、装飾用の絵が描かれたシートである。
【００２４】
また、前板５の裏面には、隠し板１４があって開口部３を覆っている。隠し板１４は、前板５の裏面のほぼ全面、つまり抽斗２の内法の全幅及び全高を覆っている。
【００２５】
また、抽斗２の端板６には係止片１５が取り付けられている。係止片１５は角材の小片であって、前板５の裏面と係止片１４の間に溝状の構造を形成している。隠し板１４は該溝に差し込まれている。隠し板１４の取り外しは、隠し板１４を前板５の裏面に平行に引き上げて、該溝から抜き出して行う。
【００２６】
このように、前板５の裏面に隠し板１４を備えて、開口部３を塞いでいるので、抽斗２の外部から開口部３の隙間を通って抽斗２の内部に進入する埃や湿気を防ぐことができる。また、開口部３の裏側に埃が溜まることがない。また、回動型押さえ爪９等が隠し板１４に覆われるので、抽斗２に収納された被収納物品（例えば衣類）が回動型押さえ爪９に引っかかって、傷つくようなことがない。また、回動型押さえ爪９が被収納物品に引っ張られて、動くことがない。そのため、装飾板４が不意に脱落する危険がない。
【００２７】
なお、上記の箪笥１、抽斗２、前板５等は、本考案の実施形態の一例であって、本考案の技術的範囲は、これらによっては限定されない。本考案は、実用新案登録請求の範囲に記載された技術的思想の限りにおいて、自由に応用、変形、あるいは改良して実施することができる。
【００２８】
例えば、本考案に係る箪笥は、箪笥１のような、いわゆる整理箪笥には限定されない。本考案に係る箪笥は、前述したように、広く収納家具一般を指し、ロッカー、キャビネット、チェストと呼ばれるものを含み、和風、洋風の別、形式、用途の別を問わない。また、本考案に係る箪笥には、いわゆるビルドインタイプの収納家具も含まれる。
【００２９】
また、本考案に係る前板は、前板５のような、抽斗２の正面を構成する部材には限定されない。本考案に係る前板は、前述したように、箪笥の正面に配置される部材を指し、箪笥の開戸や引違戸の扉も、前板に含まれる。
【００３０】
また、箪笥１、抽斗２、前板５及び隠し板１４等の素材には、一般に木材が使用されるが、本考案に係る箪笥、抽斗、前板、隠し板は、木材を素材とするものには限定されない。各種の素材を任意に選択することができる。
【００３１】
また、上記実施形態では、装飾板４の具体的な構成例として、装飾シート１０を透明なガラス板１１と押え板１２で挟んだものを例示したが、本考案の技術的範囲がこのような構成を備えるものに限定されないことは言うまでもない。ガラス板１１と押え板１２のいずれか一方、あるいは両方が省かれても良いし、ガラス板１１の代わりに他の素材（例えばアクリル樹脂）からなる板を使ってもよい。また、装飾シート１０は絵には限られない。例えば、押し花、絵はがき、絵手紙、写真あるいはその他の印刷物であっても良い。また、装飾板４は、陶板、刺繍製品、鏡などであってもよい。
【００３２】
また、開口部３の形状（平面形、断面形）は例示であって、本考案の技術的範囲がこのような形状を備えるものに限定されないことも言うまでもない。
【符号の説明】
【００３３】
１  箪笥
２  抽斗
３  開口部
４  装飾板
５  前板
６  端板
７  先板
８  底板
９  回動型押さえ爪
１０  装飾シート
１１  ガラス板
１２  押え板
１３  ピン
１４  隠し板
１５  係止片
【図１】
0003164157.tif 000003
【図２】
0003164157.tif 000004
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
表面から裏面まで貫通する開口部を有する前板と、
前記前板の裏面から前記開口部に挿入されて、前記前板に装着される装飾板と、
前記装飾板を前記前板に係止する留め具
を備える箪笥において、
前記前板の裏面側に配設されて、前記開口部と前記留め具を覆う隠し板を備える
ことを特徴とする箪笥。
【請求項２】
前記留め具は、回動型押さえ爪である
ことを特徴とする請求項１に記載の箪笥。
【請求項３】
前記前板は前記箪笥の抽斗に取り付けられるとともに、前記隠し板は、前記抽斗の内法の全幅及び全高を覆う
ことを特徴とする請求項１に記載の箪笥。
【請求項４】
前記隠し板は、前記前板の裏面に平行に摺動して前記前板に対して着脱されるように取り付けられるとともに、
前記抽斗の側板には係止片が取り付けられていて、
前記隠し板は、前記前板と前記係止片の間に挟まれて前記抽斗に係止される
ことを特徴とする請求項３に記載の箪笥。
【手続補正３】
【補正対象書類名】明細書
【補正対象項目名】０００１
【補正方法】変更
【補正の内容】
【０００１】
本考案は、抽斗等の前板に開口部を備えて、該開口部に装飾板が装着される箪笥に関する。
【手続補正４】
【補正対象書類名】明細書
【補正対象項目名】００１２
【補正方法】変更
【補正の内容】
【００１２】
本考案は、このような事情に鑑みてなされたものであり、抽斗等の前板に開口部を備えて、該開口部に装飾板が装着される箪笥であって、該開口部からの湿気や埃の進入が抑制されるとともに、裏面に埃等が溜まりにくく、しかも装飾板と被収納物品が互いに保護される箪笥を提供することを目的とする。
【手続補正５】
【補正対象書類名】明細書
【補正対象項目名】００１３
【補正方法】変更
【補正の内容】
【００１３】
上記課題を解決するため、本考案の箪笥は、表面から裏面まで貫通する開口部を有する前板と、前記前板の裏面から前記開口部に挿入されて、前記前板に装着される装飾板と、前記装飾板を前記前板に係止する留め具を備える箪笥において、前記前板の裏面側に配設されて、前記開口部と前記留め具を覆う隠し板を備えることを特徴とする。
【手続補正６】
【補正対象書類名】明細書
【補正対象項目名】００１４
【補正方法】変更
【補正の内容】
【００１４】
また、前記留め具は、例えば、回動型押さえ爪である。また、前記前板は前記箪笥の抽斗に取り付けられるとともに、前記隠し板は、前記抽斗の内法の全幅及び全高を覆うものであってもよい。あるいは、前記隠し板は、前記前板の裏面に平行に摺動して前記前板に対して着脱されるように取り付けられるとともに、前記抽斗の側板には係止片が取り付けられていて、前記隠し板は、前記前板と前記係止片の間に挟まれて前記抽斗に係止されるようにしてもよい。
【手続補正７】
【補正対象書類名】明細書
【補正対象項目名】００１５
【補正方法】変更
【補正の内容】
【００１５】
本考案によれば、前板の裏面側に隠し板を配設して、開口部と留め具を覆うので、開口部を経由する湿気や埃の進入が抑制される。また、開口部の縁が前板の裏面に露出しないので、開口部の縁に埃等が溜まらない。また、装飾板と抽斗等の被収納物品の間に隠し板があって両者を隔離するので、装飾板と被収納物品が互いに接触する事がない。そのため両者が傷つくことがない。また、抽斗等を開けたときに、開口部の裏側等が見えないので、見た目が良くなる。